(57)【要約】【課題】回線リソースおよび無線リソースの無駄な消費を無くして効率の良い通信を実現可能な移動通信システムの無線端末呼び出し方法、ゲートウェイ装置、および移動通信システムを提供すること。【解決手段】複数の基地局ＣＳを収容するゲートウェイ装置を回線交換網ＸＮおよびＩＰ網ＤＮを介して相互に接続する移動通信システムにおいて、無線端末ＰＳの利用状態を固定的利用または移動利用に分けて個別に管理し、固定的利用である無線端末ＰＳへの呼出に際しては特定の基地局を個別に呼び出すようにする。つまり位置登録を行った呼び出しエリアに対する一斉呼び出しを行うのではなく、無線端末ＰＳへの個別呼び出しが実施される。これにより基地局ＣＳへの呼び出しを最小限にでき、回線リソースおよび無線リソースの無駄な消費を無くして効率の良い通信を実現可能な移動通信システムの無線端末呼び出し方法を提供することが可能となる。【選択図】      図６
2008199395.tif 000002
【特許請求の範囲】
【請求項１】
無線端末の呼び出しエリアを形成する複数の基地局と、これらの基地局を加入者網を介して収容するとともに回線交換網およびＩＰ（Internet Protocol）網に接続されるゲートウェイ装置とを具備する移動通信システムにおける前記無線端末の呼び出し方法であって、
前記ゲートウェイ装置は、
前記無線端末からの位置登録要求を受け付ける位置登録部と、
前記無線端末の利用状態を固定的利用またはそれ以外に分けて個別に記憶する固定情報記憶部と、
前記無線端末への着信時に前記固定情報記憶部の記憶内容に基づいて個別呼び出しか呼び出しエリアの一斉呼び出しかを判定する呼び出し方式判定部と、
前記個別呼び出しと判定された無線端末を、当該無線端末の位置登録が行われた回線上から個別に呼び出す個別呼び出し部とを備え、
前記利用状態が固定的利用である無線端末への着信時に、当該無線端末の位置登録が行われた回線上から個別に呼び出すことを特徴とする移動通信システムの無線端末呼び出し方法。
【請求項２】
前記位置登録部は、無線端末からの位置登録要求に付加される個別呼び出し情報に応じて当該無線端末の利用状態を区別して前記固定情報記憶部に記憶することを特徴とする請求項１に記載の移動通信システムの無線端末呼び出し方法。
【請求項３】
前記位置登録部は、特定回線として予め指定された回線を介して位置登録を行った無線端末の利用状態を固定的利用として前記固定情報記憶部に記憶することを特徴とする請求項１に記載の移動通信システムの無線端末呼び出し方法。
【請求項４】
前記移動通信システムは、前記ゲートウェイ装置からアクセス可能な管理サーバを具備し、
この管理サーバは、前記無線端末の位置登録情報を管理する無線端末情報管理部を備え、
前記位置登録部は、無線端末からの位置登録要求を前記管理サーバに送信し、
前記管理サーバは、無線端末の利用状態を無線端末情報管理部の情報に基づいて判定し、固定的利用に該当する無線端末の位置登録応答に個別呼び出し情報を付加し、
前記位置登録部は、この位置登録応答における個別呼び出し情報の有無により該無線端末の利用状態を前記固定情報記憶部に記憶することを特徴とする請求項１に記載の移動通信システムの無線端末呼び出し方法。
【請求項５】
前記位置登録部は、無線端末からの位置登録要求受信時に自装置内で保有する無線端末データベースにて無線端末情報を照合し、この無線端末データベースに登録がある場合には該無線端末の利用状態を固定的利用として前記固定情報記憶部に記憶することを特徴とする請求項１に記載の移動通信システムの無線端末呼び出し方法。
【請求項６】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶された回線上から個別に呼び出すことを特徴とする請求項１に記載の移動通信システムの無線端末呼び出し方法。
【請求項７】
前記ゲートウェイ装置に、呼び出しエリア情報に加えて隣接する無線基地局情報を設定し、
前記位置登録部は、前記固定情報記憶部に固定的利用情報を登録する際に、隣接する無線基地局を収容する回線グループ情報を併せて記憶することを特徴とする請求項２乃至５のいずれか１項に記載の移動通信システムの無線端末呼び出し方法。
【請求項８】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶されたグループ回線を呼び出すことを特徴とする請求項６に記載の移動通信システムの無線端末呼び出し方法。
【請求項９】
無線端末の呼び出しエリアを形成する複数の基地局と、これらの基地局を加入者網を介して収容するとともに回線交換網およびＩＰ（Internet Protocol）網に接続されるゲートウェイ装置と、このゲートウェイ装置からアクセス可能な管理サーバとを具備する移動通信システムにおける前記無線端末の呼び出し方法であって、
前記ゲートウェイ装置は、
前記無線端末への着信時に個別呼び出しか呼び出しエリアの一斉呼び出しかを判定する呼び出し方式判定部と、
前記個別呼び出しと判定された無線端末を、当該無線端末の位置登録が行われた回線上から個別に呼び出す個別呼び出し部とを備え、
前記管理サーバは、
前記無線端末の位置登録情報を管理する無線端末情報管理部と、
この無線端末情報管理部に無線端末ごとにその利用状態を固定的利用またはそれ以外に分けて個別に対応付け、位置登録時に呼び出しエリアとゲートウェイ装置情報および回線情報を記憶する位置登録管理部とを備え、
前記呼び出し方式判定部は、無線端末への着信時に当該無線端末の利用状態を前記管理サーバに問い合わせ、
前記管理サーバは、問い合わせを受けた無線端末の利用状態を判定して固定的利用の場合には個別呼び出し情報と回線情報とを前記呼び出し方式判定部に返送し、
前記ゲートウェイ装置は、前記管理サーバから返送された個別呼び出し情報と回線情報とに基づいて、着信先の無線端末を当該無線端末の位置登録が行われた回線上から個別に呼び出すことを特徴とする移動通信システムの無線端末呼び出し方法。
【請求項１０】
前記位置登録管理部は、前記無線端末からの位置登録要求受信時に該無線端末の利用状態を判定して内部データとして保持し、前記ゲートウェイ装置からの問い合わせ時に前記内部データから直ちに応答を返すことを特徴とする請求項９に記載の移動通信システムの無線端末呼び出し方法。
【請求項１１】
前記ゲートウェイ装置は、回線ごとに無線端末情報を記憶する無線端末情報記憶部を備え、
前記呼び出し方式判定部は、前記回線交換網またはＩＰ網からの着信時に該着信先の無線端末が前記無線端末情報記憶部における回線ごとの情報に登録されているか否かを判定し、登録されている場合に、当該無線端末の位置登録が行われた回線上から個別に呼び出すことを特徴とする請求項９に記載の移動通信システムの無線端末呼び出し方法。
【請求項１２】
前記位置登録管理部は、無線端末からの位置登録要求受信時に当該位置登録要求内の個別呼び出し情報の有無を判定して内部データとして保持し、前記ゲートウェイ装置からの問い合わせ時に前記内部データから直ちに応答を返すことを特徴とする請求項９に記載の移動通信システムの無線端末呼び出し方法。
【請求項１３】
無線端末の呼び出しエリアを形成する複数の基地局を加入者網を介して収容するとともに回線交換網およびＩＰ（Internet Protocol）網に接続されるゲートウェイ装置において、
前記無線端末からの位置登録要求を受け付ける位置登録部と、
前記無線端末の利用状態を固定的利用またはそれ以外に分けて個別に記憶する固定情報記憶部と、
前記無線端末への着信時に前記固定情報記憶部の記憶内容に基づいて個別呼び出しか呼び出しエリアの一斉呼び出しかを判定する呼び出し方式判定部と、
前記個別呼び出しと判定された無線端末を、当該無線端末の位置登録が行われた回線上から個別に呼び出す個別呼び出し部とを具備し、
前記利用状態が固定的利用である無線端末への着信時に、当該無線端末の位置登録が行われた回線上から個別に呼び出すことを特徴とするゲートウェイ装置。
【請求項１４】
前記位置登録部は、無線端末からの位置登録要求に付加される個別呼び出し情報に応じて当該無線端末の利用状態を区別して前記固定情報記憶部に記憶することを特徴とする請求項１３に記載のゲートウェイ装置。
【請求項１５】
前記位置登録部は、特定回線として予め指定された回線を介して位置登録を行った無線端末の利用状態を固定的利用として前記固定情報記憶部に記憶することを特徴とする請求項１３に記載のゲートウェイ装置。
【請求項１６】
前記位置登録部は、無線端末からの位置登録要求受信時に自装置内で保有する無線端末データベースにて無線端末情報を照合し、この無線端末データベースに登録がある場合には該無線端末の利用状態を固定的利用として前記固定情報記憶部に記憶することを特徴とする請求項１３に記載のゲートウェイ装置。
【請求項１７】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶された回線上から個別に呼び出すことを特徴とする請求項１３に記載のゲートウェイ装置。
【請求項１８】
呼び出しエリア情報に加えて隣接する無線基地局情報を設定し、
前記位置登録部は、前記固定情報記憶部に固定的利用情報を登録する際に、隣接する無線基地局を収容する回線グループ情報を併せて記憶することを特徴とする請求項１４乃至１７のいずれか１項に記載のゲートウェイ装置。
【請求項１９】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶されたグループ回線を呼び出すことを特徴とする請求項１７に記載のゲートウェイ装置。
【請求項２０】
無線端末の呼び出しエリアを形成する複数の基地局と、これらの基地局を加入者網を介して収容するとともに回線交換網およびＩＰ（Internet Protocol）網に接続されるゲートウェイ装置とを具備する移動通信システムにおいて、
前記ゲートウェイ装置は、
前記無線端末からの位置登録要求を受け付ける位置登録部と、
前記無線端末の利用状態を固定的利用またはそれ以外に分けて個別に記憶する固定情報記憶部と、
前記無線端末への着信時に前記固定情報記憶部の記憶内容に基づいて個別呼び出しか呼び出しエリアの一斉呼び出しかを判定する呼び出し方式判定部と、
前記個別呼び出しと判定された無線端末を、当該無線端末の位置登録が行われた回線上から個別に呼び出す個別呼び出し部とを備え、
前記利用状態が固定的利用である無線端末への着信時に、当該無線端末の位置登録が行われた回線上から個別に呼び出すことを特徴とする移動通信システム。
【請求項２１】
前記位置登録部は、無線端末からの位置登録要求に付加される個別呼び出し情報に応じて当該無線端末の利用状態を区別して前記固定情報記憶部に記憶することを特徴とする請求項２０に記載の移動通信システム。
【請求項２２】
前記位置登録部は、特定回線として予め指定された回線を介して位置登録を行った無線端末の利用状態を固定的利用として前記固定情報記憶部に記憶することを特徴とする請求項２０に記載の移動通信システム。
【請求項２３】
前記移動通信システムは、前記ゲートウェイ装置からアクセス可能な管理サーバを具備し、
この管理サーバは、前記無線端末の位置登録情報を管理する無線端末情報管理部を備え、
前記位置登録部は、無線端末からの位置登録要求を前記管理サーバに送信し、
前記管理サーバは、無線端末の利用状態を無線端末情報管理部の情報に基づいて判定し、固定的利用に該当する無線端末の位置登録応答に個別呼び出し情報を付加し、
前記位置登録部は、この位置登録応答における個別呼び出し情報の有無により該無線端末の利用状態を前記固定情報記憶部に記憶することを特徴とする請求項２０に記載の移動通信システム。
【請求項２４】
前記位置登録部は、無線端末からの位置登録要求受信時に自装置内で保有する無線端末データベースにて無線端末情報を照合し、この無線端末データベースに登録がある場合には該無線端末の利用状態を固定的利用として前記固定情報記憶部に記憶することを特徴とする請求項２０に記載の移動通信システム。
【請求項２５】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶された回線上から個別に呼び出すことを特徴とする請求項２０に記載の移動通信システム。
【請求項２６】
前記ゲートウェイ装置に、呼び出しエリア情報に加えて隣接する無線基地局情報を設定し、
前記位置登録部は、前記固定情報記憶部に固定的利用情報を登録する際に、隣接する無線基地局を収容する回線グループ情報を併せて記憶することを特徴とする請求項２１乃至２４のいずれか１項に記載の移動通信システム。
【請求項２７】
前記呼び出し方式判定部は、前記回線交換網またはＩＰ網からの着信時に着信先の無線端末の利用状態を前記固定情報記憶部から取得してその情報に基づき個別呼び出しか呼び出しエリアの一斉呼び出しかを判定し、
前記着信先の無線端末の利用状態が固定的利用であれば、前記固定情報記憶部に記憶されたグループ回線を呼び出すことを特徴とする請求項２５に記載の移動通信システム。
【請求項２８】
無線端末の呼び出しエリアを形成する複数の基地局と、これらの基地局を加入者網を介して収容するとともに回線交換網およびＩＰ（Internet Protocol）網に接続されるゲートウェイ装置と、このゲートウェイ装置からアクセス可能な管理サーバとを具備する移動通信システムにおける前記無線端末の呼び出し方法であって、
前記ゲートウェイ装置は、
前記無線端末への着信時に個別呼び出しか呼び出しエリアの一斉呼び出しかを判定する呼び出し方式判定部と、
前記個別呼び出しと判定された無線端末を、当該無線端末の位置登録が行われた回線上から個別に呼び出す個別呼び出し部とを備え、
前記管理サーバは、
前記無線端末の位置登録情報を管理する無線端末情報管理部と、
この無線端末情報管理部に無線端末ごとにその利用状態を固定的利用またはそれ以外に分けて個別に対応付け、位置登録時に呼び出しエリアとゲートウェイ装置情報および回線情報を記憶する位置登録管理部とを備え、
前記呼び出し方式判定部は、無線端末への着信時に当該無線端末の利用状態を前記管理サーバに問い合わせ、
前記管理サーバは、問い合わせを受けた無線端末の利用状態を判定して固定的利用の場合には個別呼び出し情報と回線情報とを前記呼び出し方式判定部に返送し、
前記ゲートウェイ装置は、前記管理サーバから返送された個別呼び出し情報と回線情報とに基づいて、着信先の無線端末を当該無線端末の位置登録が行われた回線上から個別に呼び出すことを特徴とする移動通信システム。
【請求項２９】
前記位置登録管理部は、前記無線端末からの位置登録要求受信時に該無線端末の利用状態を判定して内部データとして保持し、前記ゲートウェイ装置からの問い合わせ時に前記内部データから直ちに応答を返すことを特徴とする請求項２８に記載の移動通信システム。
【請求項３０】
前記ゲートウェイ装置は、回線ごとに無線端末情報を記憶する無線端末情報記憶部を備え、
前記呼び出し方式判定部は、前記回線交換網またはＩＰ網からの着信時に該着信先の無線端末が前記無線端末情報記憶部における回線ごとの情報に登録されているか否かを判定し、登録されている場合に、当該無線端末の位置登録が行われた回線上から個別に呼び出すことを特徴とする請求項２８に記載の移動通信システム。
【請求項３１】
前記位置登録管理部は、無線端末からの位置登録要求受信時に当該位置登録要求内の個別呼び出し情報の有無を判定して内部データとして保持し、前記ゲートウェイ装置からの問い合わせ時に前記内部データから直ちに応答を返すことを特徴とする請求項２８に記載の移動通信システム。
【発明の詳細な説明】
【技術分野】
【０００１】
本発明は、移動通信システムにおける無線端末の呼び出し方法と、この種のシステムに用いられるゲートウェイ装置に関する。
【背景技術】
【０００２】
周知のように既存の移動通信システムでは、移動無線端末への着信時にはこの無線端末が位置登録した呼び出しエリア内の全ての基地局に対して一斉呼び出し（一斉着信）を行うようになっている。無線区間においても一斉報知により無線端末が呼び出され、無線端末の応答に応じて回線が接続される（例えば特許文献１〜４を参照）。
【特許文献１】特開２００３−２５９４１２号公報
【特許文献２】特開２００１−３０９４１９号公報
【特許文献３】特開平７−１６２９３２号公報
【特許文献４】特開平６−３２７０４８号公報
【発明の開示】
【発明が解決しようとする課題】
【０００３】
上記のように既存の移動通信システムの無線端末呼び出し方法、ゲートウェイ装置、および移動通信システムでは、呼び出しエリア内の全ての基地局が一斉に呼び出される。このため、決まった場所で無線端末を固定的に使用する場合（Wireless Local Loop：ＷＬＬ）や、無線端末を半固定的に使用する（無線端末移動は行うが、使用するときは固定される）場合、さらには無線メッシュネットワーク等を基地局配下に作成する場合などに不都合が生じる。すなわち移動無線端末が固定的に使用される場合においても一斉呼び出しが行われるので、基地局に対する回線リソースや無線リソースが呼び出しエリア内で使用され、貴重な通信リソースが無駄に消費されることになる。さらには、着信させるためのチャネルが圧迫されることにより通信が行えず、呼が損失するという問題も生じることになる。  
この発明は上記事情によりなされたもので、その目的は、回線リソースおよび無線リソースの無駄な消費を無くして効率の良い通信を実現可能な移動通信システムの無線端末呼び出し方法、ゲートウェイ装置、および移動通信システムを提供することにある。
【課題を解決するための手段】
【０００４】
上記目的を達成するためにこの発明の一態様によれば、無線端末の呼び出しエリアを形成する複数の基地局と、これらの基地局を加入者網を介して収容するとともに回線交換網およびＩＰ（Internet Protocol）網に接続されるゲートウェイ装置とを具備する移動通信システムにおける前記無線端末の呼び出し方法であって、前記ゲートウェイ装置は、前記無線端末からの位置登録要求を受け付ける位置登録部と、前記無線端末の利用状態を固定的利用またはそれ以外に分けて個別に記憶する固定情報記憶部と、前記無線端末への着信時に前記固定情報記憶部の記憶内容に基づいて個別呼び出しか呼び出しエリアの一斉呼び出しかを判定する呼び出し方式判定部と、前記個別呼び出しと判定された無線端末を、当該無線端末の位置登録が行われた回線上から個別に呼び出す個別呼び出し部とを備え、前記利用状態が固定的利用である無線端末への着信時に、当該無線端末の位置登録が行われた回線上から個別に呼び出すことを特徴とする移動通信システムの無線端末呼び出し方法が提供される。
【０００５】
このような手段を講じることにより、無線端末が決まった場所で利用される場合や、移動はするが使用時には固定される半固定的な使用の場合、さらには無線メッシュネットワーク等を基地局配下に作成する場合などのように、無線端末が固定的に利用される場合には特定の基地局が個別に呼び出される。すなわち、位置登録を行った呼び出しエリアに対する一斉呼び出しを行うのではなく、無線端末への個別着信が可能と判断した場合には個別呼び出しが実施されるので、基地局への呼び出しを最小限にすることができる。従って回線リソースおよび無線リソースを有効に活用できるようになり、呼の損失を防ぐことが可能となる。
【発明の効果】
【０００６】
この発明によれば、回線リソースおよび無線リソースの無駄な消費を無くして効率の良い通信を実現可能な移動通信システムの無線端末呼び出し方法、ゲートウェイ装置、および移動通信システムを提供することができる。
【発明を実施するための最良の形態】
【０００７】
図１は、本発明に係わる移動通信システムの実施の形態を示すシステム図である。このシステムは、ゲートウェイ装置１０，２０，３０を中核として形成される。ゲートウェイ装置１０，２０，３０はいずれも回線交換網ＸＮとＩＰ網ＤＮとに接続される。ゲートウェイ装置１０には基地局ＣＳ１，ＣＳｎが接続される。ゲートウェイ装置２０には基地局ＣＳ４，ＣＳｍが接続され、ゲートウェイ装置３０には基地局ＣＳ２，ＣＳ３が接続される。各無線端末ＰＳ（ＰＳ１〜ＰＳ４）は無線プロトコルを介して基地局ＣＳと接続され、ゲートウェイ装置間の回線を通して通信相手方と接続する。ＩＰ網ＤＮは広域イーサネット（登録商標）やＩＰ−ＶＰＮ接続サービスなどのパケット通信網であり、ＮＣＣの独自網などとして形成される。
【０００８】
各ゲートウェイ装置１０，２０，３０は接続する基地局ＣＳから発せられた信号（音声データや映像、画像データなどのデジタル信号）を、回線交換網ＸＮまたはＩＰ網ＤＮのいずれかに振り分けて送出する。またゲートウェイ装置１０，２０，３０は回線交換網ＸＮおよびＩＰ網ＤＮからの無線端末に宛てた信号を基地局ＣＳに向けて送出し、当該端末に着信させる。これにより、回線交換網ＸＮおよびＩＰ網ＤＮに属する端末と、双方向の通信経路を任意に設定することができる。さらに回線交換網ＸＮおよびＩＰ網ＤＮには、このシステムの運用にあたりセンタ装置として機能する管理サーバ４０が接続される。管理サーバ４０は無線端末の認証や位置登録情報の管理を行う。
【０００９】
図２は、図１のゲートウェイ装置１０および管理サーバ４０の実施の形態を示す機能ブロック図である。ゲートウェイ装置２０，３０も同様の構成である。図２において、管理サーバ４０は無線端末ＰＳの情報を管理するデータベースとしての端末情報管理部４１を備える。端末情報管理部４１は無線端末ＰＳのそれぞれの固有の情報を管理するもので、管理情報には無線端末ＰＳの在圏先を示す位置登録情報も含まれる。 
ゲートウェイ装置は、位置登録部１１、固定情報記憶部１２、呼出方式判定部１３、個別呼出部１４、および、一斉呼出部１５を備える。位置登録部１１は、無線端末ＰＳからの位置登録要求を受け、無線端末ＰＳの固有情報を固定情報記憶部１２に登録するとともに管理サーバ４０に通知する。固定情報記憶部１２には、無線端末ＰＳのそれぞれの利用状態が固定的利用またはそれ以外に分けて個別に記憶される。
【００１０】
呼出方式判定部１３は、無線端末への着信時に一斉呼び出しを行うか、個別呼び出しを行うかを判定する。個別呼出部１４は、呼出方式判定部１３により個別呼び出しと判定された場合に着信先の無線端末ＰＳを個別に呼び出す。一斉呼出部１５は、呼出方式判定部１３により一斉呼び出しと判定された場合に呼び出しエリアを一斉に呼び出す。
【００１１】
図３は位置登録要求メッセージの一構成例を示す図である。図３（ａ）は無線端末ＰＳからの位置登録メッセージであり、従来の位置登録情報に加えて個別呼出情報を含む。図３（ｂ）はゲートウェイ装置１０から管理サーバ４０への位置登録メッセージであり、さらに回線情報／グループ情報を含む。  
図４は個別呼出情報データベースの構成例を示す図である。このデータベースは管理サーバ４０において管理され、無線端末ＰＳのそれぞれの電話番号に図３（ｂ）の回線情報／グループ情報を対応付け、それらを呼出エリア分にわたって登録するものである。
【００１２】
図５はこの発明の一実施形態における位置登録時の動作を示す模式図である。既存の技術では、無線端末ＰＳは着信をエリア内で受けるために位置登録を行う。この位置登録情報は基地局ＣＳを経由してゲートウェイ装置１０で受信処理されたのち、管理サーバ４０に位置登録情報が登録される。管理サーバ４０は無線端末ＰＳの存在する場所として呼び出しエリアを記憶する。この後、該無線端末ＰＳへの着信時には、発信側から管理サーバ４０へ無線端末ＰＳの情報を取得する問い合わせがなされ、該当エリアへの一斉呼び出しが行われるという動作になる。
【００１３】
この実施形態では、図５において固定的に利用されることが前提の無線端末ＰＳは、使用時はエリアに固定されて使用することを示す個別着信情報を位置登録要求に付加して位置登録を行う。基地局ＣＳはこれをそのままゲートウェイ装置１０に転送する。位置登録要求を受けたゲートウェイ装置１０は付加された個別着信情報を判定し、固定的利用の場合には図４の個別呼出情報データベースに、無線端末ＰＳの電話番号と位置登録要求がなされた回線情報を呼び出しエリアに対応させて個別呼び出しの対象として登録した後、位置登録を管理サーバ４０に送信する。
【００１４】
すなわちゲートウェイ装置１０は、位置登録要求メッセージに個別着信情報が設定されていれば個別呼出情報データベースへ登録番号と回線情報を登録する。その際、図４の対応呼出エリアに電話番号と回線情報またはグループ情報を登録する。なお管理サーバ４０は従来と同様に位置登録情報を登録する。
【００１５】
図６は本実施形態における着信時の処理手順を示すフローチャートである。図６において、着信を受けたゲートウェイ装置１０（ステップＳ６１）は、個別呼出情報データベース（図４）から対応する呼び出しエリアの情報を取得し（ステップＳ６２）、着信先の電話番号を元に個別呼び出しの登録がされているか否かを判定する（ステップＳ６３）。個別呼び出し登録がされていれば、ゲートウェイ装置１０は着信先の回線を取得し（ステップＳ６４）、該回線にのみ着信を行うことにより個別呼び出しを実施する（ステップＳ６５）。呼び出し登録がされていなければ、呼び出しエリアに所属する全ての回線に着信を行うことにより一斉呼び出しを実施する（ステップＳ６６）。
【００１６】
図７は、この実施形態における位置登録手順の他の例を示す模式図である。この手順では、個別着信の判断を無線端末ＰＳからの位置登録要求の中の情報ではなく、ゲートウェイ装置１０（２０，３０）の回線から要求されるすべての位置登録要求を固定的利用として扱うようにする。
【００１７】
（１）まず、無線端末ＰＳ１からの位置登録要求が基地局ＣＳ１を経由して入ると、（２）ゲートウェイ装置１０はこの回線が特定回線として登録された回線であるか否かを判定する。ＣＳ１の回線は特定回線として登録されているので（１）′、（２）でゲートウェイ装置１０は個別呼出情報データベースに電話番号と回線情報を登録し、管理サーバ４０に位置登録要求を送信する。すなわち（２）で位置登録要求メッセージがＣＳ１の回線から入力された場合は、個別呼出情報データベースへ電話番号と回線情報を登録する。ＣＳ２からの位置登録要求メッセージは特定回線ではないので、個別呼出情報データベースヘの登録は無い。（３）管理サーバは従来通り、位置登録処理を実施する。無線端末ＰＳ１からの位置登録要求が基地局ＣＳ２を経由して入ると、この回線は特定回線ではないので個別呼出情報データベースへの登録は行われない。
【００１８】
図８は、この実施形態における位置登録手順の他の例を示す模式図である。この手順では管理サーバ４０で個別呼び出し無線端末か否かを判定する。（１）、（２）で無線端末ＰＳ１からの位置登録要求が無線基地局ＣＳ１を経由して入ると、（３）ゲートウェイ装置１０は位置登録要求を管理サーバ４０に送信する。管理サーバ４０は（４）位置登録情報登録（従来処理）行った後、（５）でＰＳ１が固定的利用無線端末か否かを判定し、個別呼び出し情報を判定に従って付加して位置登録応答を返送する。ゲートウェイ装置１０は、（６）で位置登録応答に個別呼び出し情報が付加されていれば個別呼出情報データベースに電話番号と回線情報を登録する。
【００１９】
図９は、この実施形態における位置登録手順の他の例を示す模式図である。この手順ではゲートウェイ装置１０内に保持したデータを用いて苦戦端末ごとにその利用状態（固定的利用無線端末か否か）を判断する。（１）で無線端末ＰＳ１からの位置登録要求が無線基地局ＣＳ１を経由して入ったとする。そうするとゲートウェイ装置１０は、（２）で内部で保持した無線端末一覧と位置登録要求メッセージ内の無線端末情報と一致する場合には、個別呼出情報データベースに電話番号と回線情報とを登録し、管理サーバ４０に位置登録要求を送信する。（３）管理サーバ４０は従来通り、位置登録処理を実施する。
【００２０】
図１０は本実施形態における着信時の他の例を示す模式図である。図１０において、（１）網（ＩＰ網ＤＮまたは回線交換網ＸＮ）から着信を受けたゲートウェイ装置１０は、個別呼出情報データベースを参照して着信先無線端末が固定的利用か否かを判定する。（２）固定的利用であれば（個別呼出の場合は）個別呼び出しを行うため、回線情報に従って指定回線（無線基地局）にのみ呼び出しをかける。この実施形態ではＣＳ１のみに呼び出しをかける。（３）固定的利用でない場合には（一斉呼出の場合は）、通常処理として呼び出しエリア内の全ての回線（無線基地局ＣＳ）に呼び出しをかける。
【００２１】
図１１は、図１のゲートウェイ装置１０〜３０および管理サーバ４０の他の例を示す機能ブロック図である。図１１において、管理サーバ４０は無線端末の情報を管理する端末情報管理部４１に加え、無線端末ＰＳごとにその利用状態を固定的利用またはそれ以外に分けて個別に管理する位置登録管理部４２を備える。位置登録管理部４２は、無線端末ＰＳが何処にあり、どのゲートウェイ装置のどの回線から位置登録を行ってきたかを示す位置登録情報も管理する。すなわち図１１においては、無線端末ＰＳごとの位置管理機能を管理サーバ４０に持たせている。
【００２２】
図１２は、図１１における無線端末ＰＳへの着信時における手順を示す模式図である。図１２において、（１）網から着信を受けたゲートウェイ装置１０は着信先移動端末の呼出種別（個別呼出または一斉呼出）を管理サーバ４０に問いあわせる。（２）管理サーバ４０は内部に保持したデータを元に、固定的利用か否かを判定し応答を返す。このとき、固定的利用であれば個別呼び出し情報と回線情報とを応答メッセージに載せる。（３）応答を受信したゲートウェイ装置１０は付加された情報を元に個別呼び出しか否かを判断し、個別呼出であれば回線情報に従って指定回線（無線基地局）にのみ呼び出しをかける（個別呼び出し）。この実施形態ではＣＳ１のみに呼び出しをかける。固定的利用でなければ、通常処理として呼び出しエリア内の全ての回線（無線基地局）に呼び出しをかける。
【００２３】
以上説明したようにこの実施形態では、複数の基地局ＣＳを収容するゲートウェイ装置を回線交換網ＸＮおよびＩＰ網ＤＮを介して相互に接続する移動通信システムにおいて、無線端末ＰＳの利用状態を固定的利用または移動利用に分けて個別に管理し、固定的利用である無線端末ＰＳへの呼出に際しては特定の基地局を個別に呼び出すようにする。つまり位置登録を行った呼び出しエリアに対する一斉呼び出しを行うのではなく、無線端末ＰＳへの個別呼び出しが実施される。これにより基地局ＣＳへの呼び出しを最小限にでき、回線リソースおよび無線リソースの無駄な消費を無くして効率の良い通信を実現可能な移動通信システムの無線端末呼び出し方法、ゲートウェイ装置、および移動通信システムを提供することが可能となる。
【００２４】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２５】
【図１】本発明に係わる移動通信システムの実施の形態を示すシステム図。
【図２】図１のゲートウェイ装置１０〜３０および管理サーバ４０の実施の形態を示す機能ブロック図。
【図３】位置登録要求メッセージの構成例を示す図。
【図４】個別呼出情報データベースの構成例を示す図。
【図５】この発明の一実施形態における位置登録時の動作を示す模式図。
【図６】この発明の一実施形態における着信時の処理手順を示すフローチャート。
【図７】この発明の一実施形態における位置登録手順の他の例を示す模式図。
【図８】この発明の一実施形態における位置登録手順の他の例を示す模式図。
【図９】この発明の一実施形態における位置登録手順の他の例を示す模式図。
【図１０】この発明の一実施形態における着信時の他の例を示す模式図。
【図１１】図１のゲートウェイ装置１０〜３０および管理サーバ４０の他の例を示す機能ブロック図。
【図１２】図１１における無線端末ＰＳへの着信時における手順を示す模式図。
【符号の説明】
【００２６】
１０，２０，３０…ゲートウェイ装置、ＸＮ…回線交換網、ＤＮ…ＩＰ網、ＣＳ（ＣＳ１，ＣＳ２，ＣＳ３，ＣＳ４，ＣＳｍ，ＣＳｎ）…基地局、ＰＳ（ＰＳ１〜ＰＳ４）…無線端末、１１…位置登録部、１２…固定情報記憶部、１３…呼出方式判定部、１４…個別呼出部、１５…一斉呼出部、４０…管理サーバ、４１…端末情報管理部、４２…位置登録管理部
【図１】
2008199395.tif 000003
【図２】
2008199395.tif 000004
【図３】
2008199395.tif 000005
【図４】
2008199395.tif 000006
【図５】
2008199395.tif 000007
【図６】
2008199395.tif 000008
【図７】
2008199395.tif 000009
【図８】
2008199395.tif 000010
【図９】
2008199395.tif 000011
【図１０】
2008199395.tif 000012
【図１１】
2008199395.tif 000013
【図１２】
2008199395.tif 000014